(57)【要約】【課題】部品点数、工数またはタクトタイムの増加を抑制すること。【解決手段】受光装置は、ボディ部と、受光ユニットと、前記ボディ部に固定され、前記受光ユニットを前記ボディ部に取り付けるためのボディ部側取付部材と、前記受光ユニットと前記ボディ部側取付部材との間に設けられ、前記受光ユニットを前記ボディ部側取付部材に取り付けるための受光ユニット側取付部材とを備え、前記受光ユニット側取付部材は、前記ボディ部側取付部材から離間した状態で接着剤によって前記ボディ部側取付部材に固定されている。【選択図】図３
2015045756.tif 000002
【特許請求の範囲】
【請求項１】
ボディ部と、
受光ユニットと、
前記ボディ部に固定され、前記受光ユニットを前記ボディ部に取り付けるためのボディ部側取付部材と、
前記受光ユニットと前記ボディ部側取付部材との間に設けられ、前記受光ユニットを前記ボディ部側取付部材に取り付けるための受光ユニット側取付部材と
を備え、
前記受光ユニット側取付部材は、前記ボディ部側取付部材から離間した状態で接着剤によって前記ボディ部側取付部材に固定されている
受光装置。
【請求項２】
前記受光ユニット側取付部材は、前記ボディ部側取付部材に対向する第１面と、前記第１面とは反対側の第２面と、前記第１面から前記第２面まで貫通する第１貫通穴とを有し、
前記接着剤は、前記第１貫通穴から流し入れられて、前記ボディ部側取付部材と前記受光ユニット側取付部材との間を埋める
請求項１に記載の受光装置。
【請求項３】
前記接着剤は、光硬化性接着剤であり、
前記接着剤は、前記受光ユニット側取付部材が有する前記穴を通じて光が照射されて硬化されている
請求項２に記載の受光装置。
【請求項４】
前記ボディ部側取付部材は、前記ボディ部に締結されている
請求項１から３のいずれか一項に記載の受光装置。
【請求項５】
前記ボディ部側取付部材と前記ボディ部とは、締結部材により締結されており、
前記受光ユニット側取付部材は、
前記ボディ部側取付部材に対向する第１面から前記第１面とは反対側の第２面まで貫通し、前記締結部材を緩める工具が挿入される第２貫通穴
を有する請求項４に記載の受光装置。
【請求項６】
前記第２貫通穴の断面は、前記締結部材の最外径より広い
請求項５に記載の受光装置。
【請求項７】
前記ボディ部と前記ボディ部側取付部材との間に設けられたスペーサ
をさらに備える請求項１から６のいずれか一項に記載の受光装置。
【請求項８】
前記スペーサは、前記ボディ部側取付部材と前記ボディ部とを締結する締結部材が挿通される貫通穴を有し、
前記ボディ部側取付部材および前記スペーサは、前記締結部材によって前記ボディ部と共締めされる
請求項７に記載の受光装置。
【請求項９】
前記受光ユニットは、撮像素子を有する
請求項１から８のいずれか一項に記載の受光装置。
【請求項１０】
受光装置の製造方法であって、
受光ユニットを取り付けるためのボディ部側取付部材が固定されたボディ部を有するボディ部組と、前記ボディ部側取付部材に取り付けるための受光ユニット側取付部材が固定された前記受光ユニットを有する受光ユニット部組とを、用意する段階と、
前記ボディ部側取付部材と前記受光ユニット側取付部材とが離間し、かつ、前記ボディ部組と前記受光ユニット部組とを位置合わせした状態で、前記ボディ部組および前記受光ユニット部組を保持する段階と、
前記ボディ部組および前記受光ユニット部組を保持した状態で、前記受光ユニット部組を前記ボディ部組に接着剤で固定する段階と
を備える、受光装置の製造方法。
【発明の詳細な説明】
【技術分野】
【０００１】
本発明は、受光装置および製造方法に関する。
【背景技術】
【０００２】
撮像素子の位置調整のうち、少なくともピント位置に関係する位置調整について機械的に調整する調整機構を有する電子カメラが知られている（例えば、特許文献１を参照。）。
［先行技術文献］
［特許文献］
［特許文献１］特開２００２−２６２１６７号公報
【発明の概要】
【発明が解決しようとする課題】
【０００３】
受光ユニットの位置調整のための調整機構を設けると、部品点数が多くなってしまう。受光ユニットの取り付け面等を機械加工することによって位置決めをすると、工数やタクトタイムが増加してしまう。
【課題を解決するための手段】
【０００４】
第１の態様においては、受光装置は、ボディ部と、受光ユニットと、前記ボディ部に固定され、前記受光ユニットを前記ボディ部に取り付けるためのボディ部側取付部材と、前記受光ユニットと前記ボディ部側取付部材との間に設けられ、前記受光ユニットを前記ボディ部側取付部材に取り付けるための受光ユニット側取付部材とを備え、前記受光ユニット側取付部材は、前記ボディ部側取付部材から離間した状態で接着剤によって前記ボディ部側取付部材に固定されている。
【０００５】
第２の態様においては、受光装置の製造方法であって、受光ユニットを取り付けるためのボディ部側取付部材が固定されたボディ部を有するボディ部組と、前記ボディ部側取付部材に取り付けるための受光ユニット側取付部材が固定された前記受光ユニットを有する受光ユニット部組とを、用意する段階と、前記ボディ部側取付部材と前記受光ユニット側取付部材とが離間し、かつ、前記ボディ部組と前記受光ユニット部組とを位置合わせした状態で、前記ボディ部組および前記受光ユニット部組を保持する段階と、前記ボディ部組および前記受光ユニット部組を保持した状態で、前記受光ユニット部組を前記ボディ部組に接着剤で固定する段階とを備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】撮像装置の一例であるカメラ１０の模式断面図である。
【図２】ボディ部組２８０の斜視図である。
【図３】撮像部組３８０の正面図である。
【図４】撮像部組３８０の斜視図である。
【図５】撮像部組３８０の斜視図である。
【図６】ボディ部６０とブラケット１５０との接着固定部を模式的に示す断面図である。
【図７】接着固定部を模式的に示す断面図である。
【図８】撮像部組３８０の位置測定工程および位置調整工程を模式的に示す。
【図９】撮像部組３８０を移動工程を模式的に示す。
【図１０】ボディ部組２８０および撮像部組３８０の組み付け工程を模式的に示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、撮像装置の一例であるカメラ１０の模式断面図である。カメラ１０は、一眼レフレックスカメラである。カメラ１０は、レンズユニット２０およびカメラ本体３０を備える。レンズユニット２０は、交換レンズである。カメラ本体３０には、レンズユニット２０が装着される。レンズユニット２０は、その鏡筒内に、光軸２２に沿って配列された光学系を備え、入射する被写体光束をカメラ本体３０の撮像ユニット４０へ導く。
【００１０】
本実施形態において、光軸２２に沿う方向をｚ軸方向と定める。すなわち、撮像ユニット４０が有する撮像素子１００へ被写体光束が入射する方向をｚ軸方向と定める。具体的には、被写体光束が入射する方向をｚ軸マイナス方向と定め、その反対方向をｚ軸プラス方向と定める。撮像素子１００の長手方向をｘ軸方向と定める。撮像素子１００の短手方向をｙ軸方向と定める。具体的には、ｘ軸方向およびｙ軸方向は、図１に図示した方向に定められる。ｘ軸、ｙ軸、ｚ軸は右手系の直交座標系である。なお、説明の都合上、ｚ軸プラス方向を上、ｚ軸マイナス方向を下とみなす場合がある。例えば、ｚ軸プラス方向を前方、前側、上方、上側等と呼ぶ場合がある。また、ｚ軸マイナス方向を後方、後側、下方、下側等と呼ぶ場合がある。ｚ軸マイナス方向の側を背面側等と呼ぶ場合がある。
【００１１】
カメラ本体３０の内部には、支持部材としてのボディ部６０と、ボディ部６０に支持された撮像ユニット４０とを含む内部ユニット９０が設けられる。ボディ部６０内には、レンズ側マウント２４に結合されるボディ側マウント２６よりｚ軸マイナス方向の位置に、ミラーユニット３１が設けられる。
【００１２】
ミラーユニット３１は、メインミラー３２およびサブミラー３３を含む。メインミラー３２は、レンズユニット２０が射出した被写体光束の光路中に進入した進入位置と、被写体光束の光路から退避した退避位置との間で回転可能に軸支される。サブミラー３３は、メインミラー３２に対して回転可能に軸支される。サブミラー３３は、メインミラー３２とともに進入位置に進入し、メインミラー３２とともに退避位置に退避する。このように、ミラーユニット３１は、被写体光束の光路中に進入した進入状態と、被写体光束から退避した退避状態とをとる。
【００１３】
ミラーユニット３１が進入状態にある場合、メインミラー３２に入射した被写体光束の一部は、メインミラー３２に反射されてピント板８０に導かれる。ピント板８０は、撮像素子１００の撮像面と共役な位置に配されて、レンズユニット２０の光学系が形成した被写体像を可視化する。ピント板８０に形成された被写体像は、ペンタプリズム８２およびファインダ光学系８４を通じてファインダ窓８６から観察される。
【００１４】
ミラーユニット３１が進入状態にある場合、メインミラー３２に入射した被写体光束のうちメインミラー３２で反射した被写体光束以外の光束は、サブミラー３３に入射する。具体的には、メインミラー３２はハーフミラー領域を有し、メインミラー３２のハーフミラー領域を透過した被写体光束がサブミラー３３に入射する。サブミラー３３は、ハーフミラー領域から入射した光束を、結像光学系７０に向かって反射する。結像光学系７０は、入射光束を、焦点位置を検出するための焦点検出センサ７２に導く。焦点検出センサ７２は、焦点位置の検出結果をＭＰＵ５１へ出力する。
【００１５】
ピント板８０、ペンタプリズム８２、メインミラー３２、サブミラー３３およびファインダ光学系８４は、ボディ部６０に支持される。ミラーユニット３１が退避状態にあり、シャッタユニット３８の先幕および後幕が開状態となれば、レンズユニット２０を透過する被写体光束は、シャッタユニット３８のｚ軸マイナス方向の位置設けられた光学ユニット５０を通過して、撮像素子１００の撮像面に到達する。撮像素子１００は、例えばＣＭＯＳイメージセンサやＣＣＤイメージセンサ等の固体撮像素子である。
【００１６】
撮像ユニット４０のｚ軸マイナス方向の位置には、基板６２および表示部８８が順次配置される。表示部８８としては、例えば液晶パネル等を適用できる。表示部８８の表示面は、カメラ本体３０の背面に現れる。表示部８８は、撮像素子１００からの出力信号から生成される画像を表示する。
【００１７】
基板６２には、ＭＰＵ５１、ＡＳＩＣ５２等の電子回路が実装される。ＭＰＵ５１は、カメラ１０の全体の制御を担う。撮像素子１００からの出力信号は、フレキシブルプリント基板等を介してＡＳＩＣ５２へ出力される。ＡＳＩＣ５２は、撮像素子１００から出力された出力信号を処理する。
【００１８】
ＡＳＩＣ５２は、撮像素子１００からの出力信号に基づいて、表示用の画像データを生成する。表示部８８は、ＡＳＩＣ５２が生成した表示用の画像データに基づいて画像を表示する。ＡＳＩＣ５２は、撮像素子１００からの出力信号に基づいて、記録用の画像データを生成する。ＡＳＩＣ５２は、撮像素子１００の出力信号に対して例えば画像処理や圧縮処理を施すことで記録用の画像データを生成する。ＡＳＩＣ５２が生成した記録用の画像データは、カメラ本体３０に装着された記録媒体に記録される。記録媒体は、カメラ本体３０に着脱可能に構成されている。
【００１９】
後述するように、ボディ部６０には、中間ブラケット２００ａが着脱可能に固定されている。撮像ユニット４０には、撮像ユニット４０をボディ部６０に取り付けるためのブラケット１５０が固定されている。ブラケット１５０は、中間ブラケット２００ａに接着剤６００で接着される。ブラケット１５０は、中間ブラケット２００ａからｚ軸方向に離間した状態で接着剤６００が流し込まれて接着される。
【００２０】
図２は、ボディ部組２８０の斜視図である。ボディ部組２８０は、ボディ部６０と、シャッタユニット３８と、中間ブラケット２００ａと、中間ブラケット２００ｂと、中間ブラケット２００ｃと、ビス２２０ａと、ビス２２０ｂと、ビス２２０ｃとを有する。
【００２１】
なお、中間ブラケット２００ａ、中間ブラケット２００ｂおよび中間ブラケット２００ｃを、中間ブラケット２００と総称する場合がある。また、ビス２２０ａ、ビス２２０ｂおよびビス２２０ｃを、ビス２２０と総称する場合がある。
【００２２】
中間ブラケット２００ａ、中間ブラケット２００ｂおよび中間ブラケット２００ｃは、撮像ユニット４０をボディ部６０に取り付けるための取付部材の一例である。中間ブラケット２００ａ、中間ブラケット２００ｂおよび中間ブラケット２００ｃは、互いに別個の部材である。中間ブラケット２００ａ、中間ブラケット２００ｂおよび中間ブラケット２００ｃは、プレート状の部材である。中間ブラケット２００ａ、中間ブラケット２００ｂおよび中間ブラケット２００ｃは、実質的に同一平面上に設けられる。なお、中間ブラケット２００ａ、中間ブラケット２００ｂおよび中間ブラケット２００ｃは、同一平面上に設けられていなくてよい。
【００２３】
中間ブラケット２００ａは、位置決め穴２４０ａと、位置決め穴２５０ａとを有する。位置決め穴２４０ａおよび位置決め穴２５０ａはいずれも、中間ブラケット２００ａを、ｚ軸方向に貫通する穴である。位置決め穴２４０ａおよび位置決め穴２５０ａはいずれも、中間ブラケット２００ａのｚ軸マイナス側の主面からｚ軸プラス側の主面まで貫通する貫通穴である。位置決め穴２４０ａおよび位置決め穴２５０ａはいずれも、ボディ部６０に対して中間ブラケット２００ａを位置決めするために利用される。位置決め穴２４０ａは、嵌合穴で形成される。位置決め穴２５０ａは、組立時に位置を微調整できるように長穴で形成される。
【００２４】
中間ブラケット２００ｂは、位置決め穴２４０ｂと、位置決め穴２５０ｂとを有する。位置決め穴２４０ｂおよび位置決め穴２５０ｂはいずれも、中間ブラケット２００ｂをｚ軸方向に貫通する穴である。位置決め穴２４０ｂおよび位置決め穴２５０ｂはいずれも、中間ブラケット２００ｂのｚ軸マイナス側の主面からｚ軸プラス側の主面まで貫通する貫通穴である。位置決め穴２４０ｂおよび位置決め穴２５０ｂはいずれも、ボディ部６０に対して中間ブラケット２００ｂを位置決めするために利用される。位置決め穴２４０ｂは、嵌合穴で形成される。位置決め穴２５０ｂは、組立時に位置を微調整できるように長穴で形成される。
【００２５】
中間ブラケット２００ｃは、位置決め穴２４０ｃを有する。位置決め穴２４０ｃは、中間ブラケット２００ｃをｚ軸方向に貫通する穴である。位置決め穴２４０ｃは、中間ブラケット２００ｃのｚ軸マイナス側の主面からｚ軸プラス側の主面まで貫通する貫通穴である。位置決め穴２４０ｃは、ボディ部６０に対して中間ブラケット２００ｃを位置決めするために利用される。位置決め穴２４０ｃは、嵌合穴で形成される。
【００２６】
中間ブラケット２００ａは、中間ブラケット２００ｂおよび中間ブラケット２００ｃのいずれの中間ブラケットよりｙ軸マイナス側に設けられる。中間ブラケット２００ａは、撮像素子１００よりｙ軸マイナス側に設けられる。中間ブラケット２００ｂおよび中間ブラケット２００ｃは、撮像素子１００よりｙ軸プラス側に設けられる。中間ブラケット２００ｂは、中間ブラケット２００ｃよりｘ軸プラス側に設けられる。中間ブラケット２００ａは、ｘ軸方向において、中間ブラケット２００ｂと中間ブラケット２００ｃとの間に設けられる。
【００２７】
中間ブラケット２００ａ、中間ブラケット２００ｂおよび中間ブラケット２００ｃは、それぞれボディ部６０に固定される。中間ブラケット２００ａ、中間ブラケット２００ｂおよび中間ブラケット２００ｃは、ボディ部６０のボディ側マウント２６とは反対側に固定される。
【００２８】
具体的には、中間ブラケット２００ａは、ビス２２０ａによりボディ部６０に締結される。中間ブラケット２００ａは、後述する穴２１０ａを有しており、穴２１０ａにビス２２０ａが挿通されてボディ部６０に締結される。穴２１０ａは、中間ブラケット２００ａのｚ軸プラス側の主面からｚ軸マイナス側の主面まで貫通する穴である。このように、中間ブラケット２００ａがビス２２０ａによりボディ部６０に締結されることによって、中間ブラケット２００ａがボディ部６０に固定される。
【００２９】
中間ブラケット２００ｂは、ビス２２０ｂによりボディ部６０に締結される。中間ブラケット２００ｂは、中間ブラケット２００ｂのｚ軸プラス側の主面からｚ軸マイナス側の主面まで貫通する穴を有しており、当該穴にビス２２０ｂが挿通されてボディ部６０に締結される。このように、中間ブラケット２００ｂがビス２２０ｂによりボディ部６０に締結されることによって、中間ブラケット２００ｂがボディ部６０に固定される。
【００３０】
中間ブラケット２００ｃは、ビス２２０ｃによりボディ部６０に締結される。中間ブラケット２００ｃは、中間ブラケット２００ｃのｚ軸プラス側の主面からｚ軸マイナス側の主面まで貫通する穴を有しており、当該穴にビス２２０ｃが挿通されてボディ部６０に締結される。このように、中間ブラケット２００ｃがビス２２０ｃによりボディ部６０に締結されることによって、中間ブラケット２００ｃがボディ部６０に固定される。
【００３１】
カメラ１０の製造時には、ボディ部組２８０は、シャッタユニット３８と、中間ブラケット２００ａと、中間ブラケット２００ｂと、中間ブラケット２００ｃとがボディ部６０に締結された状態で用意される。
【００３２】
図３は、撮像部組３８０の正面図である。図４は、撮像部組３８０の斜視図である。図５は、撮像部組３８０の斜視図である。図５は、図４に示す斜視図とは異なる方向から撮像部組３８０を見た場合の斜視図である。
【００３３】
撮像部組３８０は、撮像ユニット４０と、光学ユニット５０と、ブラケット１５０とを有する。撮像ユニット４０は、ブラケット１５０に固定されている。ブラケット１５０は、撮像ユニット４０をボディ部６０に取り付けるための取付部材の一例である。また、光学ユニット５０は、ブラケット１５０に固定されている。
【００３４】
撮像ユニット４０は、実装基板１２０と、撮像素子１００とを有する。撮像素子１００は、実装基板１２０のｚ軸プラス側の主面に実装されている。
【００３５】
実装基板１２０は、接着剤により、ブラケット１５０に接着されている。具体的には、ブラケット１５０は、実装基板１２０をブラケット１５０に取り付けるための複数の穴５３０を有する。実装基板１２０は、穴５３０を介して流し込まれた接着剤でブラケット１５０に接着されてブラケット１５０に固定される。実装基板１２０は、実装基板１２０のｚ軸マイナス側の主面においてブラケット１５０に接着される。
【００３６】
光学ユニット５０は、光学素子１７０と押さえ板１８０とを有する。光学素子１７０は、入射した光の少なくとも一部を透過する透光性を有する。光学素子１７０は、例えば赤外カット板、水晶板等の光学部材を含む。光学素子１７０を形成する光学部材の少なくとも一部は、光学ローパスフィルタの一部を構成してよい。
【００３７】
押さえ板１８０は、光学素子１７０をｚ軸マイナス方向に押さえ付ける。押さえ板１８０は、ブラケット１５０に取り付けられる。ブラケット１５０には、押さえ板１８０を取り付けるための複数の穴５１０を有する。押さえ板１８０は、穴５１０に挿入されたビス５２０によってブラケット１５０に締結される。押さえ板１８０は、ブラケット１５０に締結されることにより、光学素子１７０をｚ軸マイナス方向に押さえ付ける。光学素子１７０は、押さえ板１８０に押さえ付けられた状態で、撮像ユニット４０に対して固定される。
【００３８】
ブラケット１５０は、穴３３０ａと、穴３３０ｂと、穴３３０ｃとを有する。穴３３０ａ、穴３３０ｂおよび穴３３０ｃは、撮像ユニット４０をボディ部６０に取り付けるための穴である。
【００３９】
穴３３０ａは、ブラケット１５０のｚ軸マイナス側の主面からｚ軸プラス側の主面まで貫通する穴である。穴３３０ａは、ブラケット１５０を中間ブラケット２００ａに取り付けるための穴である。ブラケット１５０は、穴３３０ａを通じて流し込まれた接着剤によって、中間ブラケット２００ａに接着される。これにより、ブラケット１５０において穴３３０ａが形成された部位が、中間ブラケット２００ａと接着剤で接着される。
【００４０】
穴３３０ｂは、ブラケット１５０のｚ軸マイナス側の主面からｚ軸プラス側の主面まで貫通する穴である。穴３３０ｂは、ブラケット１５０を中間ブラケット２００ｂに取り付けるための穴である。ブラケット１５０は、穴３３０ｂを通じて流し込まれた接着剤によって、中間ブラケット２００ｂに接着される。これにより、ブラケット１５０において穴３３０ｂが形成された部位が、中間ブラケット２００ｂと接着剤で接着される。
【００４１】
穴３３０ｃは、ブラケット１５０のｚ軸マイナス側の主面からｚ軸プラス側の主面まで貫通する穴である。穴３３０ｃは、ブラケット１５０を中間ブラケット２００ｃに取り付けるための穴である。ブラケット１５０は、穴３３０ｃを通じて流し込まれた接着剤によって、中間ブラケット２００ｃに接着される。これにより、ブラケット１５０において穴３３０ｃが形成された部位が、中間ブラケット２００ｃと接着剤で接着される。
【００４２】
このように、ブラケット１５０は、穴３３０ａが形成された部位で中間ブラケット２００ａに接着剤で固定され、穴３３０ｂが形成された部位で中間ブラケット２００ｂに接着剤で固定され、穴３３０ｃが形成された部位で中間ブラケット２００ｃに接着剤で固定されることにより、ボディ部６０に対して３点で固定される。
【００４３】
ブラケット１５０は、穴３１０ａと、穴３１０ｂと、穴３１０ｃとを有する。穴３１０ａは、ｘｙ平面内においてビス２２０ａに対応する位置に設けられる。穴３１０ｂは、ｘｙ平面内においてビス２２０ｂに対応する位置に設けられる。穴３１０ｃは、ｘｙ平面内においてビス２２０ｃに対応する位置に設けられる。
【００４４】
穴３１０ａは、ブラケット１５０のｚ軸マイナス側の主面からｚ軸プラス側の主面まで貫通する穴である。穴３１０ａは、中間ブラケット２００ａをボディ部６０に締結しているビス２２０ａを緩める場合に、ビス２２０ａを緩めるドライバ等の工具を挿入するための穴である。
【００４５】
穴３１０ｂは、ブラケット１５０のｚ軸マイナス側の主面からｚ軸プラス側の主面まで貫通する穴である。穴３１０ｂは、中間ブラケット２００ｂをボディ部６０に締結しているビス２２０ｂを緩める場合に、ビス２２０ｂを緩めるドライバ等の工具を挿入するための穴である。
【００４６】
穴３１０ｃは、ブラケット１５０のｚ軸マイナス側の主面からｚ軸プラス側の主面まで貫通する穴である。穴３１０ｃは、中間ブラケット２００ｃをボディ部６０に締結しているビス２２０ｂを緩める場合に、ビス２２０ｃを緩めるドライバ等の工具を挿入するための穴である。
【００４７】
図６は、ボディ部６０とブラケット１５０との接着固定部を模式的に示す断面図である。図６は、ボディ部組２８０と撮像部組３８０とが組み付けられた状態において、図４に示すＡ−Ａ部を模式的に示す断面図である。
【００４８】
ボディ部組２８０において、中間ブラケット２００ａは、中間ブラケット２００ａの穴２１０ａに挿入されたビス２２０ａによって、ボディ部６０に締結されている。
【００４９】
ボディ部組２８０と撮像部組３８０とを組み付ける場合、ブラケット１５０が、中間ブラケット２００ａ、中間ブラケット２００ｂおよび中間ブラケット２００ｃに対向するように、撮像部組３８０を保持する。撮像部組３８０は、中間ブラケット２００ａ、中間ブラケット２００ｂおよび中間ブラケット２００ｃからブラケット１５０がｚ軸方向に沿って離間した状態で、撮像部組３８０に対して位置決めして保持される。
【００５０】
ボディ部組２８０に対して撮像部組３８０を位置決めして保持した状態で、ブラケット１５０が有する穴３３０ａ、穴３３０ｂおよび穴３３０ｃのそれぞれから接着剤を流し入れる。接着剤を硬化させることで、ブラケット１５０は中間ブラケット２００ａ、中間ブラケット２００ｂおよび中間ブラケット２００ｃに固定される。図６に示されるように、ブラケット１５０において穴３３０ａが形成された部位は、接着剤６００によって中間ブラケット２００ａに固定されている。
【００５１】
図６に示されるように、ブラケット１５０が有する穴３１０ａは、ビス２２０ａの軸部に沿う方向に貫通する穴である。穴３１０ａの中心は、ビス２２０ａを締緩させる場合の回転軸に略一致する。穴３１０ａは、ビス２２０ａの頭部２２１より大きい。例えば、穴３１０ａが円筒形状を有する場合、ｘｙ平面に平行な任意の面で切断した切断面における穴３１０ａの直径は、ビス２２０ａの頭部２２１の直径より大きい。穴３１０ａは、ボディ部組２８０と撮像部組３８０とが組み付けされた状態でブラケット１５０がビス２２０ａに接触せず、かつ、ビス２２０ａを緩める場合に頭部２２１とブラケット１５０とが干渉しない程度の大きさを有する。ビス２２０ｂおよびビス２２０ｃについても、ビス２２０ａと同様である。
【００５２】
図７は、内部ユニット９０における中間ブラケット２００とブラケット１５０との接着固定部を模式的に示す断面図である。図７は、ボディ部組２８０と撮像部組３８０とが組み付けられた状態において、図４に示すＡ−Ａ部を模式的に示す断面図である。
【００５３】
図７は、図１から図６に関連して説明したボディ部組２８０と撮像部組３８０とを組み付けた後、ワッシャを用いて調整された状態を示す。図７に示す内部ユニット９１は、例えば、カメラ１０の出荷後に撮像部組３８０を新たな撮像部組と交換した後の状態を示す。
【００５４】
内部ユニット９０は、ボディ部６０と、中間ブラケット２００ａ'と、新たな撮像部組の一部のブラケット１５０'と、ワッシャ７１０とを備える。ボディ部６０は、図１から図６に関連して説明したボディ部６０である。ブラケット１５０'は、図１から図６に関連して説明したブラケット１５０に対応する部材であり、新たな撮像部組に含まれるブラケットである。中間ブラケット２００ａ'は、図１から図６に関連して説明した中間ブラケット２００ａに対応する部材であり、撮像部組３８０の交換に伴って交換される新たな中間ブラケットである。新たな撮像部組および中間ブラケット２００ａ'に係る構成要素において、図１から図６に関連して説明した撮像部組３８０および中間ブラケット２００に対応する構成要素には、対応する構成要素と同じ符号を付すとともに、その末尾にダッシュ（'）を付加して、その詳細な説明を省略する。
【００５５】
撮像部組３８０を新たな撮像部組と交換する場合、ビス２２０ａ、ビス２２０ｂおよびビス２２０ｃをドライバ等の工具で緩めて外して、撮像部組３８０を３つの中間ブラケット２００とともにボディ部６０から取り外す。ボディ部６０に取り付けられる新たな撮像部組は、中間ブラケット２００ａ'を含む３つの新たな中間ブラケット２００'とともに用意される。具体的には、新たな撮像部組は、新たな撮像部組が有するブラケット１５０'に３つの中間ブラケット２００'を接着剤で接着した状態で用意される。中間ブラケット２００'は、ブラケット１５０'から離間した状態でブラケット１５０'に接着されている。
【００５６】
新たな撮像部組をボディ部６０に取り付ける場合、中間ブラケット２００ａ'とボディ部６０との間にワッシャ７１０を挟んだ状態で、中間ブラケット２００ａ'とボディ部６０とをビス２２０ａで締結する。図７では図示されていないが、他の２つの中間ブラケット２００'についても同様に、ビス２２０ｂおよびビス２２０ｃでボディ部６０に締結する。
【００５７】
ワッシャ７１０ａは、ボディ部６０と中間ブラケット２００ａ'との間に設けられるスペーサとして機能する。ワッシャ７１０ａを含む３つのワッシャ７１０のｚ軸に沿う方向の長さ（厚み）は、新たな撮像部組をボディ部６０に取り付けた場合のフランジバックが設計値に一致するように選択する。具体的には、ボディ部６０のボディ側マウント２６から中間ブラケット２００'を固定する座面までの距離を測定し、測定した距離に基づいて、ワッシャ７１０の厚みを決定する。ワッシャ７１０の厚みは互いに異なってよいし、互いに同じであってよい。撮像部組３８０の交換後のフランジバックが設計値になるように適切な厚みを持つワッシャ７１０を選択して、新たな撮像部組をボディ部６０に取り付ける。
【００５８】
以上に説明したように、カメラ１０によれば、撮像部組３８０を交換する場合に、交換対象の撮像部組３８０と全く同じ撮像部組を用意しなくても、新たな撮像部組の撮像素子の位置を容易に調整することができる。なお、撮像部組３８０を交換する場合だけでなく、ボディ部組２８０および撮像部組３８０におけるフランジバックを、ワッシャ７１０と同様のワッシャを用いて再調整してもよい。
【００５９】
図８、図９、図１０は、カメラ１０の製造工程の一部としての内部ユニット９０の組み立て工程を模式的に示す。具体的には、ボディ部組２８０に対して撮像部組３８０の位置を調整して、ボディ部組２８０に撮像部組３８０を組み付けるまでの工程を模式的に示す。
【００６０】
図８は、撮像部組３８０を用意する工程、位置測定および位置調整の工程を模式的に示す。図９は、撮像部組３８０の移動工程を模式的に示す。図１０は、主として撮像部組３８０およびボディ部組２８０の組み付け工程を模式的に示す。
【００６１】
図８に示されるように、マウントチャッキング冶具に固定されたボディ部組２８０を用意し、光軸方向を保持する冶具に固定された撮像部組３８０を用意する。
【００６２】
続いて、位置調整部８１０が撮像部組３８０をクランプする。続いて、位置測定部８００は、マウントチャッキング冶具に保持されているボディ部組２８０のボディ側マウント２６を基準とした撮像素子１００の位置（例えば、３次元の座標および傾き）を測定する。
【００６３】
続いて、位置調整部８１０は、位置測定部８００による測定結果に基づいて、撮像部組３８０の位置を補正し、撮像部組３８０の移動先の位置を決定する。例えば、位置調整部８１０は、撮像素子１００の撮像面がボディ側マウント２６の面に略平行になるように、撮像部組３８０の位置を補正する。また、位置調整部８１０は、フランジバックが設計値に一致するように、撮像部組３８０の移動先を決定する。また、位置調整部８１０は、撮像面の中心がボディ側マウント２６の中心に一致するように、撮像部組３８０の移動先を決定する。なお、本実施形態における「一致」とは、完全一致を意味してよく、多少の誤差を含んで一致することを意味してよい。本実施形態における「一致」とは、予め定められた許容誤差を含んで一致することを意味してよい。
【００６４】
続いて、図９に示されるように、位置調整部８１０は、マウントチャッキング冶具に固定されたボディ部組２８０の方に、撮像部組３８０を移動させる。例えば、ボディ側マウント２６で定まる光軸が、撮像部組３８０の光軸と一致するように、撮像部組３８０を光軸に垂直な方向に移動させる。
【００６５】
続いて、図１０に示されるように、位置調整部８１０は、位置測定部８００による測定結果に基づいて決定された位置まで光軸に沿う方向に撮像部組３８０を移動させた後、中間ブラケット２００とブラケット１５０とが離間した状態で保持する。
【００６６】
ボディ部組２８０と撮像部組３８０とが離間するように保持された状態で、ブラケット１５０と中間ブラケット２００との間の空間を接着剤で埋めて、接着剤を硬化させる。例えば、中間ブラケット２００と対向するブラケット１５０側主面とは反対側の主面から、ブラケット１５０の穴３３０ａ、穴３３０ｂおよび穴３３０ｃを通じて、ブラケット１５０と中間ブラケット２００との間に接着剤を流し入れることによって、ブラケット１５０と中間ブラケット２００との間の空間に接着剤を充填してよい。
【００６７】
接着剤は、紫外光硬化性接着剤であってよい。紫外光硬化性接着剤を用いる場合、穴３３０ａ、穴３３０ｂおよび穴３３０ｃを通じて紫外光硬化性接着剤に紫外光を照射することで、紫外光硬化性接着剤を硬化させる。ボディ部組２８０と撮像部組３８０を固定する接着剤としては、紫外光硬化性接着剤等の光硬化性接着剤を適用できるが、使用する接着剤は光硬化性接着剤に限られない。
【００６８】
接着剤を硬化させた後、撮像部組３８０のクランプを解除して、撮像部組３８０が固定されたボディ部組２８０を、次の工程に流す。
【００６９】
なお、図１から図１０に関連して、ボディ部組の一例として、中間ブラケット２００とボディ部６０との間にスペーサを有しない形態のボディ部組２８０を説明した。しかし、ボディ部組２８０は、中間ブラケット２００とボディ部６０との間にスペーサを有してよい。例えば、図７に説明したワッシャ７１０と同様のワッシャを、中間ブラケット２００ａとボディ部６０との間、中間ブラケット２００ｂとボディ部６０との間、および中間ブラケット２００ｃとボディ部６０との間に設けてよい。ボディ部組２８０を交換する場合や、フランジバックを再調整する場合には、既存のワッシャとは厚みが異なる新たなワッシャで既存のワッシャを交換してよい。
【００７０】
以上に説明したように、カメラ１０においては、撮像ユニット４０の位置調整のための機械的な調整機構を持たせなくて済む。また、ブラケット１５０の取り付け面やボディ部６０の取付面等を精密に機械加工して平面出しをしなくて済む。そのため、部品点数を削減できる。また、工数やタクトタイムの増加を抑制できる。
【００７１】
本実施形態では、レンズユニット２０およびカメラ本体３０を含むカメラ１０を、撮像装置の一例として取り上げて説明した。しかし、撮像装置は、レンズユニット２０を含まなくてよい。例えば、カメラ本体３０は、撮像装置の一例である。また、撮像装置とは、一眼レフレックスカメラ等のレンズ交換式の撮像装置の他に、レンズ非交換式の撮像装置を含む概念である。
【００７２】
なお、撮像装置は、受光装置の一例である。撮像ユニット４０は受光ユニットの一例であり、撮像素子１００は受光素子の一例である。カメラ１０に関連して説明した上記の構成、特に、内部ユニット９０および内部ユニット９１に関連して説明した上記の構成と同様の構成は、支持部材に対して固定された受光素子を有する種々の受光装置に適用できる。
【００７３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００７４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７５】
１０  カメラ、２０  レンズユニット、２２  光軸、２４  レンズ側マウント、２６  ボディ側マウント、３０  カメラ本体、３１  ミラーユニット、３２  メインミラー、３３  サブミラー、３８  シャッタユニット
４０  撮像ユニット、５０  光学ユニット
５１  ＭＰＵ、５２  ＡＳＩＣ、６０  ボディ部、６２  基板、７０  結像光学系、７２  焦点検出センサ、８０  ピント板、８２  ペンタプリズム、８４  ファインダ光学系、８６  ファインダ窓、８８  表示部
９０  内部ユニット、９１  内部ユニット
１００  撮像素子、１２０  実装基板
１５０  ブラケット
１７０  光学素子、１８０  押さえ板
２００  中間ブラケット
２１０  穴
２２０  ビス、２２１  頭部
２４０  穴、２５０  穴
２８０  ボディ部組
３１０  穴、３３０  穴
３８０  撮像部組
５１０  穴
５２０  ビス
５３０  穴
６００  接着剤
７１０  ワッシャ
８００  位置測定部
８１０  位置調整部
【図１】
2015045756.tif 000003
【図６】
2015045756.tif 000004
【図７】
2015045756.tif 000005
【図８】
2015045756.tif 000006
【図９】
2015045756.tif 000007
【図１０】
2015045756.tif 000008
【図２】
2015045756.tif 000009
【図３】
2015045756.tif 000010
【図４】
2015045756.tif 000011
【図５】
2015045756.tif 000012